(57)【要約】　　　（修正有）【課題】既存の構築物は勿論のこと新築時にも工事経費が安く済む耐震積層ゴムの防振コーナー固定具を提供する。【解決手段】耐震積層ゴム１を三画型形状にし構築物の支柱７・梁８あるいは、支柱の少ない構築物の壁面９、１０補強のために接合部に接合固定することで、地震時の上下・左右の揺れエネルギーを吸収する耐震・免震効果を高め、家屋の倒壊を防止する固定具２である。【選択図】図５
2004076537.tif 000002
【特許請求の範囲】
【請求項１】
耐震・免震力を高めるための耐震積層ゴム及び鋼材との複合形成も可能な支柱と梁の接合部、壁面接合部の補強固定具
【発明の詳細な説明】
【０００１】
【発明の属する技術分野】
発明は、既存構築物及び新建築物において支柱と梁の接合部、壁面接合部に固定することで地震に対し耐震・免震力を高める補強コーナー固定具に関するものである。
【０００２】
【従来の技術】
従来の耐震・免震具は、積層ゴム使用の際、構築物全体の構造上での考案のため構築物の土台に活用されているもの，また、支柱固定部は、金属板をボルトで固定することで耐震・免震をしていた。
【０００３】
従って、既存の小構築物の耐震・免震対策には大規模な工事が必要であり、工工事に多額な費用を必要とすること。支柱固定具の場合も既存の構築物の工事が大規模となり、その上、地震の際の横揺れ、縦揺れに対する力を吸収できない。
【０００４】
【発明が解決しようとする課題】
既存の構築物（家屋等）の耐震・免震を補強し地震に備えるには、安価な工事費で補強が可能であること。横揺れ、縦揺れのエネルギーを支柱接合部で吸収させ、あるいは、壁面接合部でエネルギーの分散・吸収を可能にさせ構築物の倒壊を防止することが可能である。
【０００５】
【課題を解決するための手段】
本発明は、直角三角形状型の耐震積層ゴム本体１を支柱７、梁８の接合部に本体１単体又は本体１固定具鋼板２を接合させ接着固定させることで支柱と梁に加わるエネルギーを分散・吸収させることを可能にしたものである。
また、壁面９．１０、床面１１に密着固定することで支柱の少ない、例えば、体育館などの構築物の壁面にかかるエネルギーを分散・吸収し倒壊防止効果は極端に高まる。本体１の形状は構築物のサイズで自由に出来るようにした。
【０００６】
本体１の耐震積層ゴムの形成は，積み重ね積層式でも左右積層式も可能にし使用個所によって耐震・免震のエネルギーの吸収効果を高めるようにした。
【０００７】
本体１の頂点部は、直角状に形成し、対辺に当たる部分は、直線形成あるいは弓状形成することで、伸縮力を高め揺れのエネルギー吸収率を高めるようにした。
【０００８】
【発明の実施の形態】
本発明の補強固定具を図４のように支柱７，梁８の接合部に耐震積層ゴム本体１を接合するか、本体固定部２に固定した補強具をボルト３、ナット４で支柱７、梁８に固定接合させる。あるいは、接着剤により固定させることで、支柱７と梁８に生じる伸縮エネルギーを耐震積層ゴム本体１が吸収することを可能にした。
【０００９】
耐震積層ゴム本体１を固定する固定具２は、用途に応じて強度が必要な際に対応可能なように鋼板６を弾性体５でサンドイッチ状の形成も可能にした。
【００１０】
耐震積層ゴム本体１は、図１、図２に示す積層成型でも可能にした。これは上下、左右のゆれを構築物の構造に適した使用部位により選択することを可能にするためである。
【００１１】
また、図３に示す耐震積層ゴム本体１の対辺部分を弓状にすることにより揺れエネルギーの吸収率を高めることを可能にしたものである。
【００１２】
【発明の効果】
以上のように、請求項１記載の発明によれば、既存の構築物（住宅含む）の補強工事が安い経費で構築物の支柱と梁の接合部に耐震積層ゴムの三画形状型の補強コーナー固定具を取り付けることが可能で、耐震・免震効果を上げるものである。また、柱の少ない壁面で加重を支えている構築物（体育館等）に関しても大規模工事が必要がなく安い経費と短期間での耐震補強が可能である。
【図面の簡単な説明】
【図１】本発明における耐震積層ゴムの積み重ね構成図の概観図
【図２】耐震積層ゴムの左右積層構成図の概観図
【図３】耐震積層ゴム固定具構成概観図
【図４】耐震積層ゴムの底辺部を弓状型にした概観図
【図５】支柱、梁接合部に耐震・免震補強具を固定した概観図
【図６】壁面補強の配信・免震補強部を固定した概観図
【符号の説明】
１・・・・・耐震積層ゴム本体
２・・・・・耐震積層ゴム固定具
３・・・・・ボルト
４・・・・・ナット
５・・・・・弾性体
６・・・・・鋼板
７・・・・・支柱
８・・・・・梁
９・・・・・壁
１０・・・・壁
１１・・・・床部
【図１】
2004076537.tif 000003
【図２】
2004076537.tif 000004
【図３】
2004076537.tif 000005
【図４】
2004076537.tif 000006
【図５】
2004076537.tif 000007
【手続補正書】
【提出日】平成14年10月12日(2002.10.12)
【手続補正１】
【補正対象書類名】明細書
【補正対象項目名】特許請求の範囲
【補正方法】変更
【補正の内容】
【特許請求の範囲】
【請求項１】
耐震・免震力を高めるための耐震積層ゴム及び鋼材との複合形成も可能な支柱と梁の接合部、壁面接合部の補強固定具。
【請求項２】
構築物支柱、あるいは壁面接合部に固定した耐震・免震積層ゴム補強コーナー固定具に金属類、化学繊維類、化学製品等で成型した棒状、ワイヤー状、あるいはテープ状の物体により他接合の個所に設置した耐震・免震積層ゴム補強コーナー固定具を引っ張り調整出来る連結固定具で連結する請求項１記載の補強固定具。
【請求項３】
補強コーナー固定部の連結固定は粘着性のある物質を備えさせることで、壁面等への接着固定を可能にした請求項１記載の補強固定具。
【手続補正２】
【補正対象書類名】明細書
【補正対象項目名】０００１
【補正方法】変更
【補正の内容】
【０００１】
【発明の属する技術分野】
発明は、耐震・免震力を高めるための耐震・免震積層ゴム及び鋼材との複合合成も可能な構築物等の支柱・支承接合部、壁面接合部の補強コーナー固定具。また、補強コーナー固定具を相互に×型等に金属、化学繊維、その他の化学物質で成型した器具で連結固定することで梁の効果を生じさせ耐震・免新力を強化する補強固定具である。




【手続補正書】
【提出日】平成14年10月29日(2002.10.29)
【手続補正１】
【補正対象書類名】明細書
【補正対象項目名】図面の簡単な説明
【補正方法】変更
【補正の内容】
【図面の簡単な説明】
【図１】本発明における耐震積層ゴムの積み重ね構成図の概観図
【図２】耐震積層ゴムの左右積層構成図の概観図
【図３】耐震積層ゴム固定具構成概観図
【図４】耐震積層ゴムの底辺部を弓状型にした概観図
【図５】支柱、梁接合部に耐震・免震補強具を固定した概観図
【図６】構築物支柱、壁面補強コーナー引っ張り連結固定概観図
【符号の説明】
１・・・・・耐震積層ゴム本体
２・・・・・耐震積層ゴム固定具
３・・・・・ボルト
４・・・・・ナット
５・・・・・弾性体
６・・・・・鋼板
７・・・・・支柱
８・・・・・梁
８・・・・・壁
１０・・・・・壁
１１・・・・・床部


【手続補正２】
【補正対象書類名】明細書
【補正対象項目名】図６
【補正方法】追加
【補正の内容】
【図６】
2004076537.tif 000008